(57)【要約】【課題】光の利用効率を低下させることなく、原稿の読み取りに寄与する照射光を良好なものにするための光学特性を満たすことができ、コストを抑えつつ、被読取原稿に対して高照度で且つ均一な照度分布の光を照射可能にする。【解決手段】長手方向両端部に対向配置され、対向する端部に向かって短手方向の二手に分岐した一対の分岐路２１ａ，２１ｂを有する分岐部２１，２１と、対向する分岐路２１ａ，２１ｂ間に各々平行に延設され、各分岐路２１ａ，２１ｂ同士を連通する一対の導光部２２ａ，２２ｂとを一体に有することで、長手方向に長尺な開口２ａを有するリング状をなす導光体２が、各導光部２２ａ，２２ｂの上端同士を結ぶ出光面２３を有し、少なくとも一方の端面を入光面２４とし、発光素子の発光面を向けてＬＥＤ光源３を配置するようにした。【選択図】図１
2014187444.tif 000002
【特許請求の範囲】
【請求項１】
原稿読取装置のコンタクトガラス上に載置された被読取原稿の読取対象面に、所定の幅を有する光を前記コンタクトガラスの下方から照射して、前記原稿読取装置における原稿の読み取りに寄与する原稿読取用光源装置において、
長手方向に沿って長尺な開口を有するリング状をなしており、当該長手方向の両端部に対向して配置され、互いに対向する端部に向かって前記長手方向に対し水平に直交する短手方向の二手に分岐した一対の分岐路を有してなる分岐部と、これら分岐部の対向する分岐路間にそれぞれ前記長手方向に沿って平行に延設され、当該各分岐路同士を連通する一対の導光部と、を一体に有し、これら導光部の前記短手方向に対向する上端同士を結んでなる仮想面を出光面とする導光体と、
前記導光体の前記長手方向における前記両端部のうち、少なくとも一方の前記端部の端面に形成された入光面に、発光素子の発光面を向けて配置される半導体光源と、
前記導光体および前記半導体光源を収容し、前記導光体の前記出光面に対応する部位に、前記コンタクトガラスの位置する上方に向けて開口した前記光を照射するための前記長手方向に長尺な出光部を有する筐体と、を備え、
各前記導光部には、
前記半導体光源の発光によって前記入光面および当該入光面から連続する分岐部を介して入射される光を、前記対向する端部側へと導光しつつ、適宜、上方に位置する前記コンタクトガラスへ向けて出射させるための導光照射用反射部が、当該各導光部の外周側における前記コンタクトガラスとは反対側の斜め下方となる位置に前記長手方向に沿って延設されており、
前記筐体の内部には、
前記導光体の前記開口の内側に位置し、前記半導体光源が配置される端部側の前記分岐部の内周側に対向して配置され、前記半導体光源から前記入光面を介して入射された光を、当該分岐部の各前記分岐路に沿って分光するように全反射させる分光用反射物と、
前記半導体光源が配置される端部側の前記分岐部における各前記分岐路の外周側に沿って各々配置されると共に、当該各分岐路と連通する各前記導光部の外周側における各前記分岐路との連接部分近傍に沿って各々配置され、前記分光用反射物によって全反射する方向以外の指向を有する迷光を、各前記分岐路に沿って連通する各前記導光部へと導光するための複数の導光用反射物と、が設けられており、
前記半導体光源から発せられ、前記入光面を介して前記導光体内に入射される光が、前記分岐部にて分光されつつ各前記分岐路を介して各前記導光部へと導光され、当該各導光部の双方にて各々前記長手方向に沿って対向する端部側へと導光されながら、前記出光面における各前記導光部の双方に対応する部位から、それぞれ前記コンタクトガラス上の受光面となる前記被読取原稿の読取対象面へ向けて前記出光部を介して出射され、当該受光面に対面照射されることを特徴とする原稿読取用光源装置。
【請求項２】
前記導光体の前記出光面における各前記導光部の双方に対応する部位からそれぞれ出射され、前記コンタクトガラス上の前記受光面に対面照射される前記光の各々は、当該受光面にて交わることを特徴とする請求項１に記載の原稿読取用光源装置。
【請求項３】
前記分光用反射物は三角柱状の形状からなり、垂直方向に立設される三つの面のうち、二つの面を前記分岐部の各前記分岐路の内周面にそれぞれ対向して配置され、当該二つの面は、それぞれ鏡面反射面からなることを特徴とする請求項１または２に記載の原稿読取用光源装置。
【請求項４】
前記導光体における前記入光面の幅は、前記半導体光源における前記発光面の幅と同等か、当該発光面の幅よりも０．５ｍｍ〜１ｍｍの範囲で大きく設定されていることを特徴とする請求項１〜３のいずれか一項に記載の原稿読取用光源装置。
【請求項５】
前記導光体は透明樹脂材からなり、前記分岐部における各前記分岐路は、前記導光体の対向する前記両端部の中心同士を結ぶ前記長手方向の中心軸に対し、それぞれ４５°の傾斜角度を有して配設されることを特徴とする請求項１〜４のいずれか一項に記載の原稿読取用光源装置。
【発明の詳細な説明】
【技術分野】
【０００１】
本発明は、スキャナー等の原稿読取装置に光源として用いられる原稿読取用光源装置に関する。
【背景技術】
【０００２】
従来から、縮小光学系および密着式光学系スキャナー等の原稿読取装置における原稿の読み取りは、次のような手順で行われている。すなわち、コンタクトガラス上に載置された被読取原稿の読取対象面に所定の幅を有する線状光を走査照射し、その反射光または透過光をミラーやレンズ等の光学素子で構成された光学系を経て線状固体撮像素子（ラインＣＣＤ（charge-coupled device：固体撮像素子）等）に結像させる。そして、線状固体撮像素子から出力された撮像信号に所定の信号処理を施すことにより、上記読取対象面を原稿画像として読み取るようになっている。
【０００３】
このとき、原稿画像がカラー画像である場合、カラー原稿画像を高精彩に読み取るためには、被読取原稿の読取対象面に対して、高照度で且つ均一な照度分布からなる線状光を照射する技術（つまり、そのような線状光を照射可能な光源装置）が求められている。
加えて、近年では、キセノンランプや冷陰極管（Cold-Cathode Fluorescent Lamp：CCFL）等の管灯に比べて消費電力や発熱の低減が可能であり、耐久性にも優れたＬＥＤ（Light Emitting Diode：発光ダイオード）を、光源として採用する需要が高まり、広く浸透してきている。
【０００４】
かかる要請を満足する線状光を照射可能な原稿読取用光源装置（以下、これを適宜、光源装置と称する）の一例として、例えば、図２０に示すように、複数のＬＥＤが長手方向（主走査方向）に一列に並べられてなるＬＥＤ光源８０を備えた、所謂アレイ方式のものが知られている（例えば、特許文献１参照）。
この光源装置は、ＬＥＤ光源８０の各ＬＥＤの微小面積から出射されてなる線状光を、リフレクタとしての第１ミラー８１により反射させ、その反射光をコンタクトガラス８２上に載置された被読取原稿８３の被照射部８４に照射させる。そして、被読取原稿８３の読取対象面で反射された反射光（原稿画像を含む反射光）を第２ミラー８５で反射させ、光電変換素子であるラインセンサ８６の撮像面上に原稿画像の縮小像として結像させるものである。
【０００５】
また、このアレイ方式とは異なる方式の原稿読取用光源装置として、例えば、前記ＬＥＤ光源８０に替えて、光学素子である導光体を備える、所謂ＬＧＬ（Light-Guide-Lens）方式のものがある。このＬＧＬ方式の光源装置は、ＬＥＤ光源８０と同様に主走査方向に長尺な導光体と、当該導光体の主走査方向（長手方向）における一端または両端に配置されるＬＥＤと、を備えて構成され、ＬＥＤの発光する光が導光体を介して照射されるようになっている。つまり、導光体が、一端または両端に配置されたＬＥＤから出射された光を入射し、全反射を利用して対向する他端または一端側へと導きながら、前記コンタクトガラス８２側を向いた主走査方向の側面から出射されてなる線状光を、第１ミラー８１により反射させ、その反射光をコンタクトガラス８２上に載置された被読取原稿８３の被照射部８４に照射させるものである。
【０００６】
ところが、上述のような構成からなる原稿読取用光源装置では、ＬＥＤ光源８０または導光体から出射された光が被照射部８４に直接照射されるものではなく、被照射部８４に照射されるまでの光路中に光学素子（第１ミラー８１）が配置されている。このため、その間の光路長が長くなり、当該光路での光損失が大きくなってしまう。その結果、ＬＥＤ光源８０から発せられた光の利用効率が低下して原稿の読み取りに寄与する照射光の光量が低減し、ラインセンサ８６の撮像面上に鮮明な原稿画像が結像されない虞があった。
【０００７】
そこで、上述のような光の利用効率の低下や、それによる原稿の読み取りに寄与する照射光の光量低減を防止する理想的な構成として、アレイ方式によるＬＥＤ光源８０の二列配置や、ＬＧＬ方式による導光体の二本配置などが挙げられる。しかし、これらはＬＥＤ光源８０や導光体を２つ備える点において、いずれも部品点数が倍となり、材料費が嵩むことから製造コストが増加する要因を含んでいる点で懸念される傾向があった。
【０００８】
そのため、製造コストの増加を招くことなく、上述のような光の利用効率の低下や、それによる原稿の読み取りに寄与する照射光の光量低減を防止する原稿読取用光源装置として、特許文献２や特許文献３に記載のものが提案されている。前者の光源装置はアレイ方式を採用しており、後者の光源装置はＬＧＬ方式を採用している。これら光源装置は、光源の方式が異なることを除いて、ほぼ同様に構成されており、上述の図２０を用いて概略的に説明すると、第１ミラー８１が、被読取原稿８３の中心に垂直な仮想面に対してＬＥＤ光源８０または導光体（不図示）と略対称な位置に配置されている。そして、ＬＥＤ光源８０（導光体）から出射される光の一部を第１ミラー８１で反射させることで、ＬＥＤ光源８０（導光体）があたかも二列（二本）配置されたかのように機能させることが可能となっている。このため、コンタクトガラス８２上に載置された被読取原稿８３の被照射部８４には、ＬＥＤ光源８０（導光体）から直接出射される線状光と、第１ミラー８１によって反射される線上光と、が対面照射されるようになっている。
【０００９】
これらの原稿読取用光源装置では、コンタクトガラス８２上に載置された被読取原稿８３の読取り対象面に、ＬＥＤ光源８０（導光体）から直接出射される線状光と、第１ミラー８１によって反射される線上光と、が前記被読取原稿８３の中心に垂直な仮想面に対して対称的な位置から対面照射される。これにより、例えば被読取原稿が冊子であり、読取対象面に浮きが生じるような場合であっても、当該読取対象面の浮きの部分に線状光を対面照射することで、当該浮きによる暗部を生じさせることがない。従って、上述したような光の利用効率を低下させることなく、原稿の読み取りに寄与する照射光の照度分布を良好なものにすることができる。
【先行技術文献】
【特許文献】
【００１０】
【特許文献１】特開２００８−３０４８６０号公報
【特許文献２】特許第４６５９６９８号公報
【特許文献３】特許第４７９３２８８号公報
【発明の概要】
【発明が解決しようとする課題】
【００１１】
ところで、この種のＬＥＤを用いた原稿読取用光源装置では、原稿画像を高精彩に読み取るために、被読取原稿の読取対象面に対して、高照度で且つ均一な照度分布からなる線状光を照射する必要があり、それには、光の利用効率を低下させることなく、原稿の読み取りに寄与する照射光の照度分布を良好なものにしなければならない。そのため、次のような光学特性を満足することが要求される。すなわち、かかる光学特性としては、絶対照度値や主走査配光分布、副走査配光分布、被読取原稿の読取対象面を精確に読み取るために必要な光量を示す照明深度、被読取原稿に浮きが生じる場合の読取対象面に暗部が生じないようにするための対面照射比率、ＬＥＤを複数配列する際に隣接するＬＥＤ間の暗部具合を閾値化した輝度リップル等が挙げられる。
【００１２】
これら特許文献２や特許文献３の原稿読取用光源装置では、コンタクトガラス８２の下方に、ＬＥＤ光源８０（導光体）と、第１ミラー８１とを対称に配置することで、性能面において、対面照射比率（読取対象面に対する配光比率）を５：５とする（すなわち、略均一にする）ことは達成できる。
しかしながら、この対面照射比率を均一にするためには、ＬＥＤ光源８０（導光体）から出射される主要光の光軸を第１ミラー８１側に傾けなくてはならず、これにより、読取対象面に対して照射される主要光の照度が低下する等、対面照射比率以外の性能面（すなわち、絶対照度値や主走査配光分布、副走査配光分布、照明深度、輝度リップル等）のいずれかを犠牲にすることになり、これら性能面を効率良く満たすことが困難であった。
【００１３】
そこで、本発明は上述した事情を鑑みてなされたもので、原稿読取装置に光源として用いられる原稿読取用光源装置において、光の利用効率を低下させることなく、原稿の読み取りに寄与する照射光を良好なものにするための光学特性を満たすことができ、コストを抑えつつ、被読取原稿に対して高照度で且つ均一な照度分布の光を照射可能にすることを目的とする。
【課題を解決するための手段】
【００１４】
上記課題を解決するために、本発明の請求項１に記載の発明は、
原稿読取装置のコンタクトガラス上に載置された被読取原稿の読取対象面に、所定の幅を有する光を前記コンタクトガラスの下方から照射して、前記原稿読取装置における原稿の読み取りに寄与する原稿読取用光源装置において、
長手方向に沿って長尺な開口を有するリング状をなしており、当該長手方向の両端部に対向して配置され、互いに対向する端部に向かって前記長手方向に対し水平に直交する短手方向の二手に分岐した一対の分岐路を有してなる分岐部と、これら分岐部の対向する分岐路間にそれぞれ前記長手方向に沿って平行に延設され、当該各分岐路同士を連通する一対の導光部と、を一体に有し、これら導光部の前記短手方向に対向する上端同士を結んでなる仮想面を出光面とする導光体と、
前記導光体の前記長手方向における前記両端部のうち、少なくとも一方の前記端部の端面に形成された入光面に、発光素子の発光面を向けて配置される半導体光源と、
前記導光体および前記半導体光源を収容し、前記導光体の前記出光面に対応する部位に、前記コンタクトガラスの位置する上方に向けて開口した前記光を照射するための前記長手方向に長尺な出光部を有する筐体と、を備え、
各前記導光部には、
前記半導体光源の発光によって前記入光面および当該入光面から連続する分岐部を介して入射される光を、前記対向する端部側へと導光しつつ、適宜、上方に位置する前記コンタクトガラスへ向けて出射させるための導光照射用反射部が、当該各導光部の外周側における前記コンタクトガラスとは反対側の斜め下方となる位置に前記長手方向に沿って延設されており、
前記筐体の内部には、
前記導光体の前記開口の内側に位置し、前記半導体光源が配置される端部側の前記分岐部の内周側に対向して配置され、前記半導体光源から前記入光面を介して入射された光を、当該分岐部の各前記分岐路に沿って分光するように全反射させる分光用反射物と、
前記半導体光源が配置される端部側の前記分岐部における各前記分岐路の外周側に沿って各々配置されると共に、当該各分岐路と連通する各前記導光部の外周側における各前記分岐路との連接部分近傍に沿って各々配置され、前記分光用反射物によって全反射する方向以外の指向を有する迷光を、各前記分岐路に沿って連通する各前記導光部へと導光するための複数の導光用反射物と、が設けられており、
前記半導体光源から発せられ、前記入光面を介して前記導光体内に入射される光が、前記分岐部にて分光されつつ各前記分岐路を介して各前記導光部へと導光され、当該各導光部の双方にて各々前記長手方向に沿って対向する端部側へと導光されながら、前記出光面における各前記導光部の双方に対応する部位から、それぞれ前記コンタクトガラス上の受光面となる前記被読取原稿の読取対象面へ向けて前記出光部を介して出射され、当該受光面に対面照射されることを特徴とする。
【００１５】
また、請求項２に記載の発明は、請求項１に記載の原稿読取用光源装置において、
前記導光体の前記出光面における各前記導光部の双方に対応する部位からそれぞれ出射され、前記コンタクトガラス上の前記受光面に対面照射される前記光の各々は、当該受光面にて交わることを特徴とする。
【００１６】
さらに、請求項３に記載の発明は、請求項１または２に記載の原稿読取用光源装置において、
前記分光用反射物は三角柱状の形状からなり、垂直方向に立設される三つの面のうち、二つの面を前記分岐部の各前記分岐路の内周面にそれぞれ対向して配置され、当該二つの面は、それぞれ鏡面反射面からなることを特徴とする。
【００１７】
さらに、請求項４に記載の発明は、請求項１〜３のいずれか一項に記載の原稿読取用光源装置において、
前記導光体における前記入光面の幅は、前記半導体光源における前記発光面の幅と同等か、当該発光面の幅よりも０．５ｍｍ〜１ｍｍの範囲で大きく設定されていることを特徴とする。
【００１８】
さらに、請求項５に記載の発明は、請求項１〜４のいずれか一項に記載の原稿読取用光源装置において、
前記導光体は透明樹脂材からなり、前記分岐部における各前記分岐路は、前記導光体の対向する前記両端部の中心同士を結ぶ前記長手方向の中心軸に対し、それぞれ４５°の傾斜角度を有して配設されることを特徴とする。
【発明の効果】
【００１９】
本発明によれば、原稿読取装置に光源として用いられる原稿読取用光源装置において、導光体が、長手方向の両端部に対向して配置され、互いに対向する端部に向かって長手方向に対し水平に直交する短手方向の二手に分岐した一対の分岐路を有してなる分岐部と、これら分岐部の対向する分岐路間にそれぞれ長手方向に沿って平行に延設され、当該各分岐路同士を連通する一対の導光部と、を一体に有することで、長手方向に沿って長尺な開口を有するリング状をなしており、これら一対の導光部の短手方向に対向する上端同士を結んでなる仮想面を出光面としている。また、導光体の長手方向における両端部のうち、少なくとも一方の端部の端面に形成された鏡面平坦面からなる入光面に、発光素子の発光面を向けて半導体光源が配置されている。さらに、これら導光体および半導体光源は、導光体の出光面に対応する部位に、上方に位置する原稿読取装置のコンタクトガラスに向けて開口した光を照射するための長手方向に長尺な出光部を有する筐体に収容されている。
そして、半導体光源から発せられ、入光面を介して導光体内に入射される光が、分岐部にて分光されつつ各分岐路を介して各導光部へと導光され、当該各導光部の双方にて各々長手方向に沿って対向する端部側へと導光されながら、出光面における各導光部の双方に対応する部位から、それぞれコンタクトガラス上の受光面となる被読取原稿の読取対象面へ向けて出光部を介して出射され、当該受光面に対面照射されるようになっている。
【００２０】
これにより、本発明の原稿読取用光源装置では、出光面と受光面とを結ぶ光路内に光学素子を配置することなく、光路長が長くなることを回避し、当該光路での光損失を低減できるため、半導体光源から発せられた光の利用効率を低下させることなく、原稿の読み取りに寄与する照射光を良好なものにすることができる。
すなわち、コンタクトガラスの下方に配置される、長手方向に長尺な開口を有するリング状の導光体において、半導体光源から発せられる光を分岐部によって分光し、分光された双方の光を対称に配置される一対の導光部からなる出光面より各々出射することで、受光面（被読取原稿の読取対象面）に対する対面照射比率を良好なものにすることができる。しかも、例えば、分岐部における各分岐路を、導光体の対向する両端部の中心同士を結ぶ長手方向の中心軸に対し、それぞれ４５°の傾斜角度を有して配設することにより、被読取原稿の読取対象面に対する対面照射比率を略均一にすることができる。
このとき、従来のようなリフレクタを併用する構成とは異なるため、部品点数を低減してコストを抑えることができると共に、半導体光源から発せられる主要光は、一対の導光部に分光されて読取対象面に対して照射されるため、対面照射比率を良好にするべく、光源や導光体の出光角度をリフレクタ側に傾ける必要がない。よって、読取対象面に対して照射される主要光の照度が低下することを未然に回避することができる。さらに、半導体光源から発せられる主要光は、一対の導光部に分光されて読取対象面に対して照射されるため、絶対照度値や主走査配光分布、副走査配光分布、照明深度、輝度リップル等の光学特性における性能面を犠牲にすることはない。よって、これら光学特性を効率良く満たすことができる。
【００２１】
かくして、原稿読取装置に光源として用いられる原稿読取用光源装置において、光の利用効率を低下させることなく、原稿の読み取りに寄与する照射光を良好なものにするための光学特性を満たすことができ、コストを抑えつつ、被読取原稿に対して高照度で且つ均一な照度分布の光を照射可能にする。
【図面の簡単な説明】
【００２２】
【図１】本発明の一実施形態に係る原稿読取用光源装置を示す概略斜視図である。
【図２】図１の原稿読取用光源装置における導光体を示す概略平面図である。
【図３】図２の導光体における長手方向の側面を示す側面図である。
【図４】図２の導光体における短手方向の一方の端部を示す概略図である。
【図５】図４の導光体におけるＡ−Ａ断面を示す部分的断面図である。
【図６】図５の導光体の一部を拡大して示す拡大図である。
【図７】図２の導光体の要部を拡大して示す拡大図である。
【図８】図２の導光体における短手方向の他方の端部を示す概略図である。
【図９】図１の原稿読取用光源装置に係わる光路説明図である。
【図１０】本発明の原稿読取用光源装置を用いた原稿読取装置における光路説明図である。
【図１１】導光体に係わる光路説明図である。
【図１２】同じく、導光体に係わる光路説明図である。
【図１３】同じく、導光体に係わる光路説明図である。
【図１４】同じく、導光体に係わる光路説明図である。
【図１５】図２の導光体と従来の導光体における主走査方向の光量の配光分布を比較して示すグラフである。
【図１６】図２の導光体と従来の導光体における副走査方向の光量の配光分布を比較して示すグラフである。
【図１７】図２の導光体と従来の導光体における光源からの配光比率を比較して示すグラフである。
【図１８】図２の導光体と従来の導光体における受光面に対する照明深度を比較して示すグラフである。
【図１９】図２の導光体と従来の導光体における輝度リップルを比較して示すグラフである。
【図２０】従来の原稿読取用光源装置を用いた原稿読取装置の説明図である。
【発明を実施するための形態】
【００２３】
以下、本発明に係る原稿読取用光源装置の一実施形態について、図面を参照しながら、詳細に説明する。なお、以下に述べる実施形態は、本発明の好適な具体例であり、技術的に好ましい種々の限定が付されているが、本発明の範囲は、以下の説明において特に本発明を限定する旨の記載がない限り、これらの実施形態に限られるものではない。
なお、以下では、本発明に係る原稿読取用光源装置として、不図示の原稿読取装置（例えば、スキャナー等のＯＡ機器）のコンタクトガラス上に載置された受光面である被読取原稿の読取対象面に、所定の幅を有する光をコンタクトガラスの下方から照射して、当該原稿読取装置における原稿の読み取りに寄与するものに適用した場合について述べる。
【００２４】
図１は、本実施形態に係る原稿読取用光源装置１の概略構造を模式的に示した斜視図であり、図２は、原稿読取用光源装置１における導光体２を概略的に示す平面図である。また、図３は、導光体２における長手方向の側面を示す側面図であり、図４は、導光体２における短手方向の一方の端部を示す概略図である。
【００２５】
本実施形態の場合、原稿読取用光源装置１は、図１に示すように、導光体２と、半導体光源としてのＬＥＤ光源３と、これら導光体２およびＬＥＤ光源３を収容する所謂ランプハウスとしての筐体４とを備えている。かかる導光体２は、長手方向に沿って長尺な開口２ａを有するリング状をなしており、当該長手方向における両端部のうち、少なくとも一方の端部の端面にＬＥＤ光源３が配置されている。また、筐体４は略矩形状の箱形をなし、導光体２およびＬＥＤ光源３，３を収容している。さらに、筐体４は、好ましくは遮光性の高い材料からなり、収容する導光体２の後述する出光面２３（図２参照）に対応する部位に、原稿読取用光源装置１の上方に位置するコンタクトガラス５０（後述する図９，１０参照）に向けて開口した、ＬＥＤ光源３からの光を出射するための長手方向に長尺な出光部４ａを有している。
【００２６】
具体的に導光体２は、アクリル等の透明樹脂材からなり、図２に示すように、長手方向の両端部に対向して配置される一対の分岐部２１，２１を有している。また、これら分岐部２１，２１は、互いに対向する端部に向かって長手方向に対し水平に直交する短手方向の二手に分岐した一対の分岐路２１ａ，２１ｂを有している。すなわち、各分岐部２１，２１は、それぞれ自身側の端部から相手側の端部に向けて短手方向に分岐した分岐路２１ａ，２１ｂを有し、角柱状のアクリルを平面視において略Ｙ字状に形成されてなる。
【００２７】
また、導光体２は、各分岐部２１，２１の対向する分岐路２１ａ，２１ａおよび２１ｂ，２１ｂ間にそれぞれ長手方向に沿って平行に延設され、当該各分岐路２１ａ，２１ａ同士および２１ｂ，２１ｂ同士を連通する一対の円柱状からなる導光部２２ａ，２２ｂを有している。そして、導光体２は、各分岐部２１，２１と各導光部２２ａ，２２ｂとを一体に有することで長手方向に長尺な開口２ａを有するリング状をなしている。このとき、導光体２は、これら導光部２２ａ，２２ｂの短手方向に対向する上端同士を結んでなる仮想面の領域を出光面２３としており、その中でも中心部分を有効照明領域２３ａとしている。ここで、有効照明領域２３ａとは、出光面２３から上方に位置する原稿読取装置（不図示）に向かって出射され、当該原稿読取装置の受光面５１（後述の図１０参照）に対して照射される照射光Ｌ３ａ，Ｌ３ｂ（図１０参照）を、最も良好に照射可能な領域を意味する。
【００２８】
また、導光体２の長手方向における両端部のうち、少なくとも一方の端部の端面には鏡面平坦面からなる入光面２４が形成されており、この入光面２４に対し、発光素子の発光面（共に不図示）を向けてＬＥＤ光源３が配置されている（図１および後述の図９参照）。なお、本実施形態の場合、導光体２の両端部の両端面に、それぞれ入光面２４，２４が形成されており、これら入光面２４，２４にそれぞれＬＥＤ光源３，３が上述した状態で配設されている。なお、入光面２４，２４を構成する鏡面平坦面とは、形状を示すものであり、いずれも透明樹脂材（この場合、アクリル）の形状を加工したものである。すなわち、反射膜等を形成して鏡面とするものではなく、樹脂と空気の屈折率差により全反射の作用等を有するものである。
【００２９】
さらに、導光体２の各導光部２２ａ，２２ｂには、図３および図４に示すように、当該各導光部２２ａ，２２ｂの外周側において、原稿読取用光源装置１の上方に位置するコンタクトガラス５０（図９，１０参照）とは反対側の斜め下方となる位置に、長手方向に沿って導光照射用反射部２５が延設されている。この導光照射用反射部２５は、ＬＥＤ光源３，３（図１および図９参照）の発光によって入光面２４，２４および当該入光面２４，２４から連続する分岐部２１，２１を介して入射される光を、対向する端部側へと導光しつつ、適宜、上方に位置するコンタクトガラス５０へ向けて出射させるためのものである。具体的に導光照射用反射部２５は、既存の導光技術として一般的な構成であり、各導光体２２ａ，２２ｂの前記斜め下方の位置に形成されるパターン面２５ａと、当該パターン面２５ａに沿って配置される反射シート２５ｂとからなる。詳細には、図４のＡ−Ａ断面を示す図５および当該図５の要部Ｋ２を拡大した図６に示すように、パターン面２５ａは、ドット（白印刷等を含む）や、ローレット等からなり、この場合、パターン形状としてローレットを採用している。このとき、ローレット形状は、ピッチＰ１、高さＰ２および角度θを選定することで、ローレットパターンが決定される。なお、通常のパターンとしては、厚みに対して、１／１０００〜１／１００のスケール、角度は９５±１０°程度の範囲で決定されることが好ましい。
【００３０】
ここで、かかる導光体２の形状定義について、図２の要部Ｋ１を拡大した図７および図８を用いて説明する。なお、ここでは、便宜上、導光体２における一方側の端部における分岐部２１を拡大して説明するが、他方側の端部における分岐部２１においても同様に構成されている。
図７および図８に示すように、導光体２の全体のレイアウトとして、最外形（全長および全幅）が、長手方向（主走査方向）の長さＸ１（図２参照）と、短手方向（副走査方向）の幅Ｙ１とによって決められている場合、分岐部２１および導光部２２ａ，２２ｂの形状は、以下のように決められる。
【００３１】
すなわち、本実施形態の場合、光源としてＬＥＤ光源３を用いており、発光素子が点光源であるＬＥＤとなっている。よって、入光面２４の幅Ｙ２は、ＬＥＤ光源３の発光面幅に対して公差分余裕のある幅とする。なお、この場合、公差は０．５ｍｍ〜１．０ｍｍとすることが好ましい。これにより、ＬＥＤ光源３から発光される光Ｌ１（後述する図９参照）を、入光面２４を介して導光体２内に効率良く取り込むことができるようになっている。
【００３２】
次に、分岐部２１において、分岐後の主走査方向における導光部２２ａ，２２ｂのＲ形状Ｒ１は、当該導光部２２ａ，２２ｂの直径をｃとすると、Ｒ１＞ｃ／２の範囲となるように設定する。つまり、導光部２２ａ，２２ｂのＲ形状Ｒ１は、その直径ｃの１／２よりも大きく設定される。因みに、本実施形態の場合、導光部２２ａ，２２ｂの直径ｃは、入光面２４の幅Ｙ２と同等であり、入光面２４は正方形に形成されている。
【００３３】
次いで、入光面２４から主走査方向に向かう入光路長Ｘ２は、入光面２４の幅Ｙ２の１／２以下とするが、最外形が主走査方向の長さＸ１（図２参照）と、副走査方向の幅Ｙ１の制約により、例えば、主走査方向に寸法を大きくできない等の場合は、Ｘ２＝０であっても良い。
【００３４】
続いて、副走査方向の幅Ｙ１の１／２の長さとしての幅Ｙ３（つまり、入光面２４の中心から導光部２２ａ，２２ｂの各端縁までの長さ）は、前記有効照明領域２３ａの幅Ｙ４（図２参照）に、分岐後の導光部２ａまたは２ｂの幅である入光面２４の幅Ｙ２を２倍したものを加えた長さよりも大きく設定する。換言すれば、Ｙ３＞Ｙ４＋２Ｙ２の範囲となるように設定する。このとき、入光面２４から主走査方向の分岐路２１ａまたは２１ｂと、導光部２２ａまたは２２ｂとの連通部分までの長さＸ３は、導光体２の半分の幅Ｙ３と同等の長さに設定される。
【００３５】
また、入光面２４から分岐路２１ａおよび２１ｂが分岐を開始する部位までの長さＸ４は、入光面幅Ｙ２と同等の長さに設定される。そして、導光体２の半分の幅Ｙ３が決定することで、前記長さＸ３と前記幅Ｙ３から分岐路２１ａ，２１ｂの分岐角度αを求める。
なお、ここでは、各分岐路２１ａ，２１ｂに入光面からの光を均一に分光させるべく、分岐角度αと対向する分岐角度α’とを同等の角度とする場合について述べるが、一例であってこれに限らず、それぞれユーザの要望に応じて、所望する異なる角度で設定しても良い。
これら分岐角度αとα’は、α＝α’＝ＡｒｃＴａｎ（Ｙ３／Ｘ３）によって求められ、これにより、点光源付近（すなわち、ＬＥＤ光源３を配置する入光面２４から導光部２２ａ，２２ｂに掛けて）の入光形状が決定する。因みに、本実施形態の場合、これら分岐角度αとα’は、それぞれ４５°に設定されている。
【００３６】
さらに、導光部２２ａおよび２２ｂにおけるパターン面２５ａの傾斜角度（すなわち、光の出光角度）βは、上方に位置するコンタクトガラス５０の厚みｔ（以下、これをガラス厚ｔと称する）と、当該コンタクトガラス５０の屈折率と、導光体２からコンタクトガラス５０の底面までの垂直距離Ｖと、不図示の原稿読取装置におけるＣＣＤ中心までの水平距離Ｈと、に依存する。厳密には、ＣＣＤ中心と合致する交点となる角度に設定することが望ましいが、上記照明深度を考慮した場合、ＣＣＤ中心より少し高い位置で出光軸を交差させた方が好ましい。この方法により、コンタクトガラス５０の屈折率を考慮せずに導光体２の中心から垂直に延在する中心軸Ｄと、各導光部２２ａ，２２ｂにおける出光軸Ｌａ，Ｌｂとを結ぶことでパターン面２５ａにおける上記出光角度βを決定することができるようになっている。
【００３７】
また、パターン面２５ａの幅は、上述した光学特性における主走査配光分布の要求仕様によって変動するが、例えば一例として、各導光部２２ａ，２２ｂにおける出光軸Ｌａ，Ｌｂが、各導光部２２ａ，２２ｂのパターン面２５ａとする底面と直交する点から±１ｍｍ程度の幅をペターン面２５ａの幅として形成することが好ましい。そして、このようなパターン面２５ａを主走査方向に延設することで、各端部の入光面２４，２４との距離Ｘ５，Ｘ６（図３参照）が決定され、長手方向に長尺なリング状からなる導光体２の形状が決定される。
【００３８】
次に、上述のように形状が決定された導光体２を有する原稿読取用光源装置１において、ＬＥＤ光源３，３から発せられた光が原稿読取用光源装置１から外部に向けて照射されるまでの間の光路形成について、図９および図１０を用いて説明する。
図９は、原稿読取用光源装置１に係わる光路説明図であり、図１０は、原稿読取用光源装置１を用いた原稿読取装置（不図示）のコンタクトガラス５０上に位置する受光面に対する光路説明図である。なお、図９および図１０においては、便宜上、筐体４の内部側を図示し、筐体４については図示を省略する。
【００３９】
かかる原稿読取用光源装置１において、筐体４の内部には、図９に示すように、導光体２の開口２ａの内側に位置し、ＬＥＤ光源３，３が配置される端部側（この場合、両端部）の分岐部２１，２１の内周側に対向して配置され、ＬＥＤ光源３，３から入光面２４，２４を介して入射された光を、当該分岐部２１，２１の各分岐路２１ａ，２１ｂに沿って分光するように全反射させる分光用反射物４１，４１が設けられている。また、筐体４の内部には、分光用反射物４１，４１によって全反射する方向以外の指向を有する迷光を、各分岐路２１ａ，２１ｂに沿って連通する各導光部２２ａ，２２ｂへと導光するための複数の導光用反射物４２…が設けられている。これら導光用反射物４２…は、ＬＥＤ光源３，３が配置される端部側の分岐部２１，２１における各分岐路２１ａ，２１ｂの外周側に沿って各々配置されると共に、当該各分岐路２１ａ，２１ｂと連通する各導光部２２ａ，２２ｂの外周側における各分岐路２１ａ，２１ｂとの連接部分近傍に沿って各々配置されている。なお、これら分光用反射物４１，４１や導光用反射物４２…は、それぞれ対向する分岐路２１ａ，２１ｂおよび導光部２２ａ，２２ｂ側の位置に、鏡面反射面（不図示）を有している。そして、この鏡面反射面は、分光用反射物４１，４１や導光用反射物４２…全体が銀（Ａｇ）等の反射金属フィルムで形成されるか、または樹脂フィルムに銀（Ａｇ）等の反射金属膜を設けることにより形成されている。
【００４０】
ここで、導光体２と、分光用反射物４１，４１および導光用反射物４２…との関係について、図９との対応部分に同一符号を付して示す図１１〜図１４を用いて説明する。なお、図１１〜図１４では、便宜上、導光体２の一方の端部側について図示するが、他方の端部側においてもＬＥＤ光源３が配置される場合は同様の現象となることは言うまでもない。また、導光体２における個々の部位の詳細な説明は重複するため割愛するものとする。
【００４１】
図１１〜図１４に示すように、導光体２において、分光用反射物４１および導光用反射物４２…を配置しない場合と、配置した場合とでは、ＬＥＤ光源３から発せられた光（図中、実線で示す）の利用効率が全く異なっている。つまり、分光用反射物４１や導光用反射物４２…を配置しない場合、全反射による配光以外の方向を有する迷光が、これら分光用反射物４１や導光用反射物４２…の存在しない部位から外部へと漏れ出てしまう（図１１〜図１３参照）。
【００４２】
これに対し、分光用反射物４１および導光用反射物４２…を適切に配置した場合、前記迷光を適切に導光することができ、ＬＥＤ光源３から発せられた光Ｌ１の有効に活用することが可能となり、当該光Ｌ１の利用効率を向上することができるようになることがわかる。よって、本実施形態では、上述の如く、分光用反射物４１および導光用反射物４２…を適切に配置するようにした。なお、分光用反射物４１は、ＬＥＤ光源３からの直接光（光Ｌ１）が、原稿読取装置のＣＣＤ（共に不図示）に映り込まないように遮光する役目も有している。
【００４３】
上述のように構成された原稿読取用光源装置１では、図９に示すように、まず、各ＬＥＤ光源３，３から発せられた光Ｌ１，Ｌ１が、各入光面２４，２４を介して導光体２内に入射される。これら光Ｌ１，Ｌ１は、各端部の各分岐部２１，２１にて、一部が各分岐路２１ａ，２１ｂの内壁で反射しながら当該各分岐路２１ａ，２１ｂと連通する導光路２２ａ，２２ｂへ光Ｌ１ａ，Ｌ１ｂとして導光される。また、他の一部が各分岐路２１ａ，２１ｂの内壁を透過するが、外周に配置される分光用反射物４１，４１および導光用反射物４２…によって反射され、各分岐路２１ａ，２１ｂに沿って反射しながら、当該各分岐路２１ａ，２１ｂと連通する導光路２２ａ，２２ｂへ光Ｌ１ａ，Ｌ１ｂとして導光される。すなわち、全反射部材である分光用反射物４１は、ＬＥＤ光源３から出射された光Ｌ１，Ｌ１が入光面２４，２４から入射されると、対向する分岐部２１，２１において、当該ＬＥＤ光源３，３の光軸に沿って前記開口２ａの内周側へ透過することなく、分岐路２１ａ，２１ｂへと分岐するように反射させる。そして、入光面２４，２４を介して導光体２内に入射された光Ｌ１，Ｌ１は、各分岐部２１，２１にて光Ｌ１ａと光Ｌ１ｂとに分光されつつ、各分岐路２１ａ，２１ｂを介して各導光部２２ａ，２２ｂへと導光される。このとき、分岐部２１，２１の分岐角度α，α’は、それぞれ４５°に設定されることにより、上記光Ｌ１，Ｌ１を均一に分光できるようになっている。
【００４４】
次に、各分岐部２１，２１にて分光された光Ｌ１ａ，Ｌ１ｂは、各分岐路２１ａ，２１ｂを介して各導光部２２ａ，２２ｂへと導光され、導光路２２ａ，２２ｂの双方において、導光照射用反射部２５によって（具体的には、パターン面２５ａで）反射しながら、光Ｌ２ａ，Ｌ２ｂとして対向する端部へ向かって導光される。このとき、光Ｌ２ａ，Ｌ２ｂが各導光部２２ａ，２２ｂの出光面２３となる上端側で臨界角を超えると、当該出光面２３から出光することなく、導光路２２ａ，２２ｂ内で上述の如く反射を繰り返しながら各々長手方向に沿って対向する端部側へと導光される。
【００４５】
そして、出光面２３で臨界角を超えない場合、導光される長手方向（主走査方向）に屈折し、図１０に示すように、当該出光面２３（導光部２２ａ，２２ｂの上端側）からＬ３ａ，Ｌ３ｂとして出光する。すなわち、光Ｌ３ａ，Ｌ３ｂが、出光面２３における各導光部２２ａ，２２ｂの双方に対応する部位から、それぞれコンタクトガラス５０へ向けて出光部４ａ（図１参照）を介して出射される。そして、光Ｌ３ａ，Ｌ３ｂは、コンタクトガラス５０を透過して、当該コンタクトガラス５０上の受光面５１となる不図示の被読取原稿の読取対象面に対面照射される。このとき、受光面５１に対面照射される各々の光Ｌ３ａ，Ｌ３ｂは、当該受光面５１にて交わることが好ましい。これにより、これら光Ｌ３ａ，Ｌ３ｂ（すなわち、ＬＥＤ光源３から発せられる光Ｌ１）の利用効率を向上することができるようになっている。さらに、コンタクトガラス５０を透過して受光面５１に対面照射された光Ｌ３ａ，Ｌ３ｂは、当該受光面５１によって不図示のＣＣＤへと垂直反射され、当該ＣＣＤにて画像として読み取られる。
【００４６】
以上のように構成された原稿読取用光源装置１では、上述した光学特性、具体的には、主走査配光分布、副走査配光分布、導光体２の両端部を長手方向に結ぶ中心軸に対して左右に配置される導光路２２ａ，２２ｂにおける配光比率（すなわち、被読取原稿に浮きが生じる場合の読取対象面に、暗部が生じないようにするための対面照射比率）、照明深度、輝度リップルが、それぞれ図１５〜図１９のグラフに示されるように、従来に比較して格段と良好になる。
なお、図１５，図１６，図１９において、本実施形態の原稿読取用光源装置１については実線で、従来の原稿読取用光源装置については破線で示している。また、図１７において、本実施形態の原稿読取用光源装置１の導光体における一方の導光部２２ａについては実線で、他方の導光部２２ｂについては一点鎖線で、従来の原稿読取用光源装置における光源側については破線で、リフレクタ側については二点鎖線で示している。さらに、図１８において、本実施形態の原稿読取用光源装置１おける深度０ｍｍについては実線で、深度２ｍｍについては一点鎖線で、従来の原稿読取用光源装置における深度０ｍｍについては破線で、深度２ｍｍについては二点鎖線で示している。
【００４７】
以上、説明したように、原稿読取装置に光源として用いられる本実施形態の原稿読取用光源装置１によれば、導光体２が、長手方向の両端部に対向して配置され、互いに対向する端部に向かって長手方向に対し水平に直交する短手方向の二手に分岐した一対の分岐路２１ａ，２１ｂを有してなる分岐部２１，２１と、これら分岐部２１，２１の対向する分岐路２１ａ，２１ｂ間にそれぞれ長手方向に沿って平行に延設され、当該各分岐路２１ａ，２１ｂ同士を連通する一対の導光部２２ａ，２２ｂと、を一体に有することで、長手方向に沿って長尺な開口２ａを有するリング状をなしており、これら一対の導光部２２ａ，２２ｂの短手方向に対向する上端同士を結んでなる仮想面を出光面２３としている。また、導光体２の長手方向における両端部のうち、少なくとも一方の端部の端面に形成された鏡面平坦面からなる入光面２４に、発光素子の発光面を向けてＬＥＤ光源３，３が配置されている。さらに、これら導光体２およびＬＥＤ光源３，３は、導光体２の出光面２３に対応する部位に、上方に位置する原稿読取装置のコンタクトガラス５０に向けて開口した光を照射するための長手方向に長尺な出光部４ａを有する筐体４に収容されている。
【００４８】
そして、ＬＥＤ光源３，３から発せられ、入光面２４，２４を介して導光体２内に入射される光Ｌ１が、分岐部２１，２１にて光Ｌ１ａと光Ｌ１ｂとに分光されつつ各分岐路２１ａ，２１ｂを介して各導光部２２ａ，２２ｂへと導光され、当該各導光部２２ａ，２２ｂの双方にて各々長手方向に沿って対向する端部側へと光Ｌ２ａ，Ｌ２ｂとして導光されながら、出光面２３における各導光部２２ａ，２２ｂの双方に対応する部位から、それぞれコンタクトガラス５０上の受光面５１となる被読取原稿の読取対象面へ向けて出光部４ａを介して光Ｌ３ａ，Ｌ３ｂとして出射され、当該受光面５１に対面照射されるようになっている。
【００４９】
これにより、本発明の原稿読取用光源装置１では、出光面２３と受光面５１とを結ぶ光路内に光学素子を配置することなく、光路長が長くなることを回避し、当該光路での光損失を低減できるため、ＬＥＤ光源３から発せられた光Ｌ１の利用効率を低下させることなく、原稿の読み取りに寄与する照射光（光Ｌ３ａ，Ｌ３ｂ）を良好なものにすることができる。
すなわち、コンタクトガラス５０の下方に配置される、長手方向に長尺な開口２ａを有するリング状の導光体２において、ＬＥＤ光源３から発せられる光Ｌ１を分岐部２１，２１によって光Ｌ１ａと光Ｌ１ｂとに分光し、分光された双方の光Ｌ１ａ，Ｌ１ｂを対称に配置される一対の導光部２２ａ，２２ｂを介して出光面２３より光Ｌ３ａ，Ｌ３ｂとして各々出射することで、受光面５１（被読取原稿の読取対象面）に対する対面照射比率を良好なものにすることができる。
【００５０】
このとき、従来のようなリフレクタを併用する構成とは異なるため、部品点数を低減してコストを抑えることができると共に、ＬＥＤ光源３，３から発せられる主要光Ｌ１は、一対の導光部２２ａ，２２ｂに分光されて読取対象面（受光面５１）に対して対面照射されるため、従来のように、対面照射比率を良好にするべく、光源や導光体の出光角度をリフレクタ側に傾ける必要がない。よって、読取対象面に対して照射される主要光Ｌ１の照度が低下することを未然に回避することができる。さらに、ＬＥＤ光源３，３から発せられる主要光Ｌ１は、一対の導光部２２ａ，２２ｂに向けて分光され、読取対象面（受光面５１）に対して照射されるため、絶対照度値や主走査配光分布、副走査配光分布、照明深度、輝度リップル等の光学特性における性能面を犠牲にすることはない。よって、これら光学特性を効率良く満たすことができる。
【００５１】
かくして、原稿読取装置に光源として用いられる原稿読取用光源装置１において、光の利用効率を低下させることなく、原稿の読み取りに寄与する照射光を良好なものにするための光学特性を満たすことができ、コストを抑えつつ、被読取原稿に対して高照度で且つ均一な照度分布の光を照射可能にする。
【００５２】
しかも、本実施形態の原稿読取用光源装置１は、高照度で且つ照度分布が均一な線状光を照射するための構造がシンプルであるため、小型化および低コスト化が可能であり、その結果、本発明の原稿読取用光源装置１を組み込んだスキャナー等の原稿読取装置の小型化および低コスト化の実現に寄与することも可能である。
【００５３】
また、コンタクトガラス５０上の受光面５１に対面照射される各々の光Ｌ３ａ，Ｌ３ｂは、当該受光面５１にて交わることが好ましい。これにより、これら光Ｌ３ａ，Ｌ３ｂ（すなわち、ＬＥＤ光源３から発せられる光Ｌ１）の利用効率を向上することができる。
【００５４】
さらに、分光用反射物４１は三角柱状の形状からなり、垂直方向に立設される三つの面のうち、二つの面を分岐部２１，２１の各分岐路２１ａ，２１ｂの内周面にそれぞれ対向して配置され、当該二つの面は、それぞれ鏡面反射面からなることが好ましい。これにより、全反射による配光以外の方向を有する迷光が、分光用反射物４１の存在しない部位から外部へと漏れ出てしまうことを未然に回避することができ、当該迷光を適切に導光することができる。このため、ＬＥＤ光源３から発せられた光Ｌ１を有効に活用することが可能となり、当該光Ｌ１の利用効率を向上することができる。
しかも、当該分光用反射物４１によって、ＬＥＤ光源３からの直接光（光Ｌ１）が、原稿読取装置のＣＣＤ（共に不図示）に映り込まないように遮光することもできる。
【００５５】
さらに、導光体２における入光面２４の幅Ｙ２は、ＬＥＤ光源３における発光面の幅と同等か、当該発光面の幅よりも０．５ｍｍ〜１ｍｍの範囲で大きく設定されていることが望ましい。これにより、ＬＥＤ光源３から発光される光Ｌ１を、入光面２４を介して導光体２内に効率良く取り込むことができる。
【００５６】
さらに、導光体２はアクリル等の透明樹脂材からなり、分岐部２１，２１における各分岐路２１ａ，２１ｂは、導光体２の対向する両端部の中心同士を結ぶ長手方向の中心軸に対し、それぞれ４５°の傾斜角度を有して配設されることが好ましい。これにより、被読取原稿の読取対象面（受光面５１）に対する対面照射比率を略均一にすることができる。
【００５７】
なお、本発明は、上述した実施形態に限定されることなく、本発明の趣旨を逸脱しない範囲において、適宜、種々の改良および設計の変更が可能である。
【００５８】
例えば、上述した実施形態においては、発光素子を利用した半導体光源としてＬＥＤ光源３，３を適用する場合について述べたが、一例であってこれに限られず、この他、有機ＥＬ等の種々の発光素子を広く適用することができる。
【符号の説明】
【００５９】
１…原稿読取用光源装置
２…導光体
２ａ…開口
２１…分岐部
２１ａ，２１ｂ…分岐路
２２ａ，２２ｂ…導光部
２３…出光面
２３ａ…有効照明領域
２４…入光面
２５…導光照射用反射部
２５ａ…パターン面
２５ｂ…反射シート
３…ＬＥＤ光源（半導体光源）
４…筐体（ランプハウス）
４ａ…出光部
５０…コンタクトガラス
５１…受光面
【図１】
2014187444.tif 000003
【図２】
2014187444.tif 000004
【図３】
2014187444.tif 000005
【図４】
2014187444.tif 000006
【図５】
2014187444.tif 000007
【図６】
2014187444.tif 000008
【図７】
2014187444.tif 000009
【図８】
2014187444.tif 000010
【図９】
2014187444.tif 000011
【図１０】
2014187444.tif 000012
【図１１】
2014187444.tif 000013
【図１２】
2014187444.tif 000014
【図１３】
2014187444.tif 000015
【図１４】
2014187444.tif 000016
【図１５】
2014187444.tif 000017
【図１６】
2014187444.tif 000018
【図１７】
2014187444.tif 000019
【図１８】
2014187444.tif 000020
【図１９】
2014187444.tif 000021
【図２０】
2014187444.tif 000022